(57)【特許請求の範囲】
【請求項１】
自動車のエンジンルームと車室とを仕切るパネル（１０）にコネクタ貫通用の第一貫通穴（１１）と第二貫通穴（１２）とを設け、該パネルのエンジンルーム側に電源回路と接続される第一ボックス（１４）を配置すると共に、室内側に負荷側回路と接続される第二ボックス（１５）を配置し、これら第一ボックスと第二ボックスとに設けたコネクタ収容部（１６）とコネクタ部（１８）とを上記パネルに設けた第一貫通穴（１１）を通して嵌合して第一ボックスと第二ボックスの内部回路を端子接続し、第一ボックスの内部回路を第二ボックス内の分岐接続回路、リレー、ヒューズあるいは電子部品ユニットを介して上記負荷側回路に接続する一方、
第一ボックスの内部回路とスルー回路で接続する負荷側回路は上記第二ボックスを介さず、該負荷側回路のワイヤハーネスの端末に接続したコネクタ（２４）を、上記パネルの第二貫通穴（１２）に面して露出させた第一ボックスのコネクタ嵌合部（１７）に直接嵌合接続していることを特徴とする自動車における電気接続箱の取付構造。
【発明の詳細な説明】
【０００１】
【発明の属する技術分野】
本発明は自動車における電気接続箱の取付構造に関し、詳しくは、自動車の車室側とエンジンルーム側とを仕切る車体パネルの貫通穴の部位に設置して、電源側のワイヤハーネスと室内側のワイヤハーネスとを接続するものである。
【０００２】
【従来の技術】
従来、この種の自動車のエンジンルーム側と室内側とを仕切るパネルに貫通穴を設け、該パネルを挟んで対向して固定した一対の電気接続箱を、上記貫通穴を通して電気的に接続する構成としたものとして、図５（Ａ）（Ｂ）に示す特公平２−４３４０７号、図６（Ａ）（Ｂ）に示す特公平３−６３２８９が提案されている。
【０００３】
上記図５および図６に示す電気接続箱は、いずれも、エンジンルーム（Ｘ）側と車室（Ｙ）側を仕切る車体パネルＰの貫通穴Ｈに、一対の電気接続箱１と２の対向面に形成した導電部材３と４とを電気接続させて合体させると共に、これら電気接続箱１と２とをパネルＰに固定している。
【０００４】
【発明が解決しようとする課題】
上記図５および図６に示す電気接続箱では、エンジンルーム（Ｘ）側の電気接続箱１と室内（Ｙ）側の電気接続箱２との内部回路は、全て対向面に設けた導電部材３と４との接続部を介して接続している。よって、エンジンルーム側の電気接続箱１と接続する電源側のワイヤハーネスと、室内側の電気接続箱２と接続する負荷側のワイヤハーネスとは、少なくとも３カ所の電気接続部を必要としている。即ち、電源側のワイヤハーネスと電源側の電気接続箱の内部回路との電気接続部、電源側の電気接続箱の内部回路と室内側の電気接続箱の内部回路との電気接続部、室内側電気接続箱の内部回路と負荷側のワイヤハーネスとの電気接続部の３カ所が必要となっている。
【０００５】
しかしながら、上記エンジンルーム側電気接続箱の内部回路において、電源側回路にヒューズ、リレーおよび／あるいは分岐接続回路を通した後、室内側電気接続箱の内部回路と接続され、該室内側電気接続箱の回路では、ヒューズ、リレーおよび／あるいは分岐接続回路を介さずに、所謂、スルー回路の状態で、室内側のワイヤハーネスに接続される場合もある。
【０００６】
このような、室内側電気接続箱ではスルー回路となる場合、エンジンルーム側電気接続箱の回路を直接的に室内側ワイヤハーネスに接続すれば良いが、上記した従来の構成では、エンジンルーム側電気接続箱の回路と室内側電気接続箱の回路とは、全て端子接続されている。よって、端子接続部が増加して、室内側電気接続箱が大型化すると共に複雑化する問題があり、さらに、部品点数の増加、作業手数の増加が生じる問題もある。
【０００７】
本発明は上記問題に鑑みてなされたもので、室内側電気接続箱の小型化、端子接続部の減少を図ることを課題としている。
【０００８】
【課題を解決するための手段】
上記課題を解決するため、本発明は、自動車のエンジンルームと車室とを仕切るパネル（１０）にコネクタ貫通用の第一貫通穴（１１）と第二貫通穴（１２）とを設け、該パネルのエンジンルーム側に電源回路と接続される第一ボックス（１４）を配置すると共に、室内側に負荷側回路と接続される第二ボックス（１５）を配置し、これら第一ボックスと第二ボックスとに設けたコネクタ収容部（１６）とコネクタ部（１８）とを上記パネルに設けた第一貫通穴（１１）を通して嵌合して第一ボックスと第二ボックスの内部回路を端子接続し、第一ボックスの内部回路を第二ボックス内の分岐接続回路、リレー、ヒューズあるいは電子部品ユニットを介して上記負荷側回路に接続する一方、
第一ボックスの内部回路とスルー回路で接続する負荷側回路は上記第二ボックスを介さず、該負荷側回路のワイヤハーネスの端末に接続したコネクタ（２４）を、上記パネルの第二貫通穴（１２）に面して露出させた第一ボックスのコネクタ嵌合部（１７）に直接嵌合接続していることを特徴とする自動車における電気接続箱の取付構造を提供している。
【０００９】
上記のように、室内側の第二ボックスにおいてスルー回路となるものは、第二ボックスを通さずに、第一ボックスと直接コネクタ接続する構成とすると、第二ボックスの内部回路を減少でき、その分、第二ボックスの小型化を図ることができる。また、上記のように、コネクタ接続により、第一ボックスの内部回路と直接接続すると、従来必要であった第一ボックスと第二ボックスとの間で行う端子接続部も無くすことができ、その分、接点部の個数が減少して、部品点数および取付手数の減少を図ることができる。
【００１０】
【発明の実施の形態】
以下、本発明の実施形態を図面を参照して説明する。
図１および図２に示すように、エンジンルーム（Ｘ）と車室（Ｙ）とを仕切るダッシュ・パネル１０には、コネクタ貫通用の第一貫通穴１１と第二貫通穴１２とを隣接して設け、これら第一貫通穴１１と第二貫通穴１２との間には仕切部となるパネル部分１０ａを残している。
【００１１】
上記第一貫通穴１１を挟んでエンジンルーム（Ｘ）側に第一ボックス１４を配置すると共に、車室（Ｙ）側に第二ボックス１５を配置し、図３に示すように、これら第一ボックス１４と第二ボックス１５の外面より突設したブラケット１４ａ、１５ａに穿設した取付穴１４ｂ、１５ｂにボルト１８を通し、ナット１９で締め付けて第一ボックス１４と第二ボックス１５とをパネル１０に固定すると同時に、第一ボックス１４と第二ボックス１５とを組みつけるようにしている。また、第二ボックス１５と対向しない第一ボックス１４の外面にもブラケット１４ｃを設け、該ブラケット１４ｃに穿設した取付穴１４ｄにパネル１０に穿設した取付穴１０ｂよりボルトを通してナットで締め付け固定するようにしている。
【００１２】
上記のように、第一ボックス１４をパネル１０に取り付けた状態で、第一貫通穴１１には、第一ボックス１４に設けたコネクタ収容部１６が貫通して突出し、室内（Ｙ）側へ突出するようにしている。
【００１３】
上記エンジンルーム（Ｘ）側に配置する第一ボックス１４は、大略矩形状で、パネル１０に面する側に、上記第二貫通穴１２に位置にコネクタ嵌合部１７と、上記第二ボックス１５のコネクタ部１８を嵌合する上記コネクタ収容部１６とを設けている。また、該第一ボックス１４内部に、バスバー１９を積層して収容していると共に、多数のヒュージブルリンク２０を収容している。
【００１４】
上記ヒュージブルリンク２０の上流側端子２０ａには、図４に示すように、バッテリー２１に接続したエンジンルーム側ワイヤハーネスＷ／Ｈ−１の電線を接続し、下流側端子２０ｂは上記バスバー１９と接続し、該バスバー１９で分岐接続回路を構成している。該バスバー１９に設けた端子１９ａを上記コネクタ収容部１６に突出させ、第二ボックス１５側のコネクタ部１８内の端子２２と端子接続する一方、バスバー１９に設けた端子１９ｂを上記コネクタ嵌合部１７に突出させ、室内側ワイヤハーネスＷ／Ｈ−２の端末に接続したコネクタ２４内の端子２３と直接的に端子接続させるようにしている。
【００１５】
このように、第一ボックス１４の内部回路は、その一部を室内側ワイヤハーネスＷ／Ｈ−２と直接的に電気接続する一方、残部を第二ボックス１５の内部回路と端子接続し、該第二ボックス１５の内部回路を通して別の室内側ワイヤハーネスＷ／Ｈ−３と接続するようにしている。
【００１６】
上記第二ボックス１５も略矩形状でパネル１０側には上記コネクタ部１８を突設していると共に、室内側には多数のコネクタ収容部２５を設け、内部にバスバー２６を積層配置している。該第二ボックス１５のバスバー２６の一部より上記端子２３を屈折して形成している。該端子２３はコネクタ部１８を介して第一ボックス１４の内部回路（バスバー１９）と接続されると共に、バスバー２６を分岐接続回路を構成するパターンとし、その一部をリレー２７、ヒューズと接続している。
【００１７】
上記室内側に開口するコネクタ収容部２５には室内側の別のワイヤハーネスＷ／Ｈ−３の端末に接続したコネクタ３０を嵌合させて、バスバー２６より突設した端子とコネクタ３０内の端子とを接続させるようにしている。上記ワイヤハーネスＷ／Ｈ−３と接続するコネクタ３０内の端子は、第一ボックス１４側からコネクタ接続部を介して導通される回路を、バスバー２６の分岐接続回路、あるいは、リレー２７、ヒューズを通している。即ち、第二ボックス１５内で分岐接続回路、リレー、ヒューズあるいは電子ユニットを組み込んでいる場合には該電子ユニットの電子部品を介さずに室内側ワイヤハーネスと接続するスルー回路は第二ボックス１５を通さずに、上記ワイヤハーネスＷ／Ｈ−２側に配線して、第一ボックス１４と直接的にコネクタ接続させるようにしている。
【００１８】
上記した第一ボックス１４と第二ボックス１５とは、まず、第一ボックス１４をパネル１０のエンジンルーム側に位置させ、コネクタ収容部１６を第一貫通穴１１に貫通させると共に、コネクタ嵌合部１７を第二貫通穴１２に面するように位置させ、ブラケット１４ｃによりパネル１０に仮固定する。ついで、第二ボックス１５をパネル１０の室内側に位置させ、コネクタ部１８を第一貫通穴１１を貫通して室内側へ突出しているコネクタ収容部１６と嵌合させる。ついで、第一ボックス１４と第二ボックス１５とをボルト１８とナット１９とでパネル１０に固定し、パネル１０を挟んで、第一ボックス１４と第二ボックス１５の内部回路をコネクタ嵌合により電気的に接続させている。
【００１９】
上記のようにパネル１０に固定する第一ボックス１４には予めバッテリーと接続するためのワイヤハーネスＷ／Ｈ−１が組みつけらており、同様に、第二ボックス１５のコネクタ収容部２５には負荷側のワイヤハーネスＷ／Ｈ−３の端末に取り付けてコネクタ３０が組付けれらている。なお、該ワイヤハーネスＷ／Ｈ−３のコネクタ３０と第二ボックス１５のコネクタ収容部２５とは、第二ボックス１５をパネル１０に固定した後に組み付ける場合もある。
【００２０】
このように、電源側ワイヤハーネスＷ／Ｈ−１と第一ボックス１４、第二ボックス１５を介して接続する負荷側ワイヤハーネスＷ／Ｈ−３は、第二ボックス１５内において、必ず分岐接続されているか、あるいは、リレー、ヒューズを通しており、スルー回路とはしていない。
【００２１】
一方、上記パネル１０に固定した第一ボックス１４のコネクタ嵌合部１７はパネル１０の第二貫通穴１２に面して位置させる。この第一ボックス１４のコネクタ嵌合部１７に、負荷側のワイヤハーネスＷ／Ｈ−２の端末に接続したコネクタ２４を嵌合して、第二ボックス１５を介さずに直接的に電気接続している。
【００２２】
【発明の効果】
以上の説明より明らかなように、本発明によれば、自動車のエンジンルームと室内とを仕切るパネルの両面に直接固定して、該パネルに設けた貫通穴を通して電気接続を図る電気接続箱の取付構造において、室内側ボックスではスルー回路となるものは、エンジンルーム側のボックスに貫通穴を通して直接的にコネクタ接続する構成としているため、室内側ボックスの小型化を図ることが出来ると共に、構造を簡単とすることができる。
【００２３】
また、この第一ボックスと直接的にコネクタ接続する回路については、従来の第一ボックスと第二ボックスとの間で行っていた端子接続部を無くすことができ、その分、部品点数および作業手数を低減することができる。
【図面の簡単な説明】
【図１】  本発明の実施形態を示し、電気接続箱がパネルに取り付けられる前の断面図である。
【図２】  上記電気接続箱がパネルに取り付けられた状態の断面図である。
【図３】  上記電気接続箱のパネル固定部の断面図である。
【図４】  上記電気接続箱とワイヤハーネスとの電気回路図である。
【図５】  （Ａ）（Ｂ）は従来例を示す断面図である。
【図６】  （Ａ）（Ｂ）は他の従来例を示す断面図である。
【符号の説明】
１０  パネル
１１  第一貫通穴
１２  第二貫通穴
１４  第一ボックス
１５  第二ボックス
１６  コネクタ収容部
１７  コネクタ嵌合部
１８  コネクタ部
２２  コネクタ
Ｗ／Ｈ−１  電源側ワイヤハーネス
Ｗ／Ｈ−２、Ｗ／Ｈ−３  負荷側ワイヤハーネス
【図１】
0003915946.tif 000002
【図２】
0003915946.tif 000003
【図３】
0003915946.tif 000004
【図４】
0003915946.tif 000005
【図５】
0003915946.tif 000006
【図６】
0003915946.tif 000007